(57)【要約】【課題】ＭＲＩ装置に用いるオープン構造の超電導磁石の排気管の閉塞を検出し、メンテナンスを行うことを可能にする運転方法を提供する。【解決手段】冷媒容器２０４と、冷媒容器２０４の内部空間に接続された排気管１０８と、排気管のガス圧が予め定められた所定の圧力に達した場合に排気する排気弁２１４とを含む超電導磁石を備えた磁気共鳴イメージング装置の運転方法であって、排気管１０８のガス圧を圧力センサー２１６により検出し、検出したガス圧と所定の圧力とを比較し、比較結果に基づいて排気管の閉塞の有無を判定する。これにより、外部から見えない排気管の閉塞を検出することができる【選択図】図３
2008154677.tif 000002
【特許請求の範囲】
【請求項１】
冷媒容器と、前記冷媒容器の内部空間に接続された排気管と、該排気管のガス圧が予め定められた所定の圧力に達した場合に排気する排気弁とを含む超電導磁石を備えた磁気共鳴イメージング装置の運転方法であって、
前記排気管のガス圧を検出する工程と、
該検出したガス圧と前記排気弁の前記所定の圧力とを比較し、比較結果に基づいて前記排気管の閉塞の有無を判定する工程とを有することを特徴とする磁気共鳴イメージング装置の運転方法。
【請求項２】
請求項１に記載の磁気共鳴イメージング装置の運転方法において、前記ガス圧を検出する工程は、前記排気管のうち、その温度が水の融点よりも低く、空気の融点よりも高い部分のガス圧を検出し、
前記判定する工程は、前記検出したガス圧が、前記所定の圧力よりも高い場合には、前記ガス圧検出位置よりも前記排気弁に近い部分で前記排気管が閉塞していると判定し、前記検出したガス圧が、前記所定の圧力よりも低く、かつ、時間の経過に伴って減少している場合には、前記ガス圧検出位置よりも前記冷媒容器に近い位置で前記排気管が閉塞していると判定することを特徴とする磁気共鳴イメージング装置の運転方法。
【請求項３】
請求項１または２に記載の磁気共鳴イメージング装置の運転方法において、前記判定結果を報知する工程をさらに有することを特徴とする磁気共鳴イメージング装置の運転方法。
【請求項４】
請求項２に記載の磁気共鳴イメージング装置の運転方法において、前記判定する工程において前記閉塞があると判定された場合には、判定した閉塞位置の閉塞を取り除く作業を指示する工程をさらに有することを特徴と磁気共鳴イメージング装置の運転方法。
【請求項５】
超電導磁石と、制御部とを備えた磁気共鳴イメージング装置であって、
前記超電導磁石は、冷媒容器と、前記冷媒容器の内部空間に接続された排気管と、該排気管のガス圧が予め定められた所定の圧力に達した場合に排気する排気弁と、前記排気管内のガス圧を検出する圧力検出部とを有し、
前記制御部は、前記圧力検出部の検出したガス圧と、前記排気弁の前記所定の圧力とを比較し、比較結果に基づいて前記排気管の閉塞の有無を判定することを特徴とする磁気共鳴イメージング装置。
【請求項６】
請求項５に記載の磁気共鳴イメージング装置において、前記圧力検出部は、前記排気管のうち、その温度が水の融点よりも低く、空気の融点よりも高い部分の圧力を検出する位置に取り付けられ、
前記制御部は、前記検出したガス圧が、前記所定の圧力よりも高い場合には、前記ガス圧検出位置よりも前記排気弁に近い部分で前記排気管が閉塞していると判定し、前記検出したガス圧が、前記所定の圧力よりも低く、かつ、時間の経過に伴って減少している場合には、前記ガス圧検出位置よりも前記冷媒容器に近い位置で前記排気管が閉塞していると判定することを特徴とする磁気共鳴イメージング装置。
【請求項７】
請求項５または６に記載の磁気共鳴イメージング装置において、前記制御部は、判定結果を表示装置に表示することを特徴とする磁気共鳴イメージング装置。
【請求項８】
冷媒容器と、前記冷媒容器の内部空間に接続された排気管と、該排気管のガス圧が予め定められた所定の圧力に達した場合に排気する排気弁とを含む超電導磁石を備えた磁気共鳴イメージング装置のためのメンテナンス用プログラムであって、
コンピュータを、
前記排気管のガス圧データを取り込ませる手段と、
前記ガス圧データと所定の圧力とを比較し、比較結果に基づいて前記排気管の閉塞の有無を判定する手段として機能させることを特徴とするメンテナンス用プログラム。
【請求項９】
請求項８に記載のメンテナンス用プログラムにおいて、
前記コンピュータを、
前記検出したガス圧が、前記所定の圧力よりも高い場合には、前記ガス圧検出位置よりも前記排気弁に近い部分で前記排気管が閉塞していると判定する手段と、
前記検出したガス圧が、前記所定の圧力よりも低く、かつ、時間の経過に伴って減少している場合には、前記ガス圧検出位置よりも前記冷媒容器に近い位置で前記排気管が閉塞していると判定する手段として機能させることを特徴とするメンテナンス用プログラム。
【請求項１０】
請求項８または９に記載のメンテナンス用プログラムにおいて、前記コンピュータを、前記判定結果を報知する手段として機能させることを特徴とするメンテナンス用プログラム。
【請求項１１】
超電導磁石を備えた磁気共鳴イメージング装置を遠隔監視する装置であって、
前記磁気共鳴イメージング装置から、前記超電導磁石の冷媒容器に接続された排気管のガス圧の検出結果を受信する通信手段と、
受信した前記ガス圧を、所定の圧力と比較し、比較結果に基づいて前記排気管の閉塞の有無を判定する制御手段とを有することを特徴とする遠隔監視装置。
【請求項１２】
請求項１１に記載の遠隔監視装置において、前記制御手段は、前記受信したガス圧が、前記所定の圧力よりも高い場合には、前記排気管のガス圧検出位置よりも排気弁に近い部分で前記排気管が閉塞していると判定し、前記検出したガス圧が、前記所定の圧力よりも低く、かつ、時間の経過に伴って減少している場合には、前記ガス圧検出位置よりも前記冷媒容器に近い位置で前記排気管が閉塞していると判定することを特徴とする遠隔監視装置。
【請求項１３】
請求項１１または１２に記載の遠隔監視装置において、前記制御部は、判定結果を表示装置に表示することを特徴とする遠隔監視装置。
【請求項１４】
請求項１１ないし１３のいずれか１項に記載の遠隔監視装置において、前記制御部は、前記通信手段から、判定結果を前記磁気共鳴イメージング装置に送信することを特徴とする遠隔監視装置。
【請求項１５】
超電導磁石を備えた磁気共鳴イメージング装置をメンテナンスする方法であって、
前記磁気共鳴イメージング装置から、前記超電導磁石の冷媒容器に接続された排気管のガス圧の検出結果を受信する工程と、
受信した前記ガス圧を、所定の圧力と比較し、比較結果に基づいて前記排気管の閉塞の有無を判定する工程とを有することを特徴とするメンテナンス方法。
【請求項１６】
請求項１５に記載のメンテナンス方法において、前記判定する工程は、前記受信したガス圧が、前記所定の圧力よりも高い場合には、前記排気管のガス圧検出位置よりも排気弁に近い部分で前記排気管が閉塞していると判定し、前記検出したガス圧が、前記所定の圧力よりも低く、かつ、時間の経過に伴って減少している場合には、前記ガス圧検出位置よりも前記冷媒容器に近い位置で前記排気管が閉塞していると判定することを特徴とするメンテナンス方法。
【請求項１７】
請求項１５または１６に記載のメンテナンス方法において、判定結果を報知する工程をさらに有することを特徴とするメンテナンス方法。
【請求項１８】
請求項１５ないし１７のいずれか１項に記載のメンテナンス方法において、前記判定結果が閉塞ありの場合には、回復処理のための作業員を前記磁気共鳴イメージング装置の設置場所へ派遣するよう指示する工程をさらに有することを特徴とするメンテナンス方法。
【発明の詳細な説明】
【技術分野】
【０００１】
本発明は超電導磁石を用いた磁気共鳴イメージング装置（以下、ＭＲＩ装置と称する）に係わり、特に、超電導磁石の運転管理方法とその装置に関する。
【背景技術】
【０００２】
被検者を均一な磁場空間に配置して、その核磁気共鳴（以下、ＮＭＲと称する）信号から医学的診断を行うＭＲＩ装置は、従来のＣＴ装置やＲＩ装置での検査と同じように医療機関で用いられる。特に、ＭＲＩ装置を用いた検査は形態的な情報や、代謝などの機能的な情報を画像化する多様な検査であることから優れた病巣検出能力がある。このＭＲＩ装置において、優れた病巣検出能を有する画像を得るには、高い磁場強度とその偏差がＰＰＭオーダーの均一な静磁場空間に被検者の検査部位を配置する必要がある。静磁場発生磁石としては、内部を撮像空間とする円筒型磁石と、特許文献１のように被検体を挟んで一対の平板型磁石を配置するオープン構造の磁石とが知られている。
【０００３】
オープン構造の磁石を超電導磁石で構成する場合、超電導磁石のクライオスタットを２つに分割して、被検者の配設空間の上下に配置し、分割されたクライオスタットは１ないし２本の支柱で支える構造が採用される。この結果、被検者の前後左右は開放的となり、被検体に与える圧迫感が円筒型磁石よりも少なく、好適な検査環境を実現することができる。
【０００４】
一方、オープン構造の超電導磁石は、超電導コイルを分割して支えるため、円筒型磁石と比較して、外部から力が加わった時に振動を生じやすい。振動による変位は、超電導コイルに熱的擾乱等を発生させ、極端な場合、クエンチに到る可能性がある。振動によるクエンチを防止するために、特許文献２には、超電導コイルの微少滑りを防止するためコイルにスペーサを介在させ、超電導コイルの摩擦発熱を低減する技術が開示されている。特許文献３には、超電導コイルを収めるクライオスタットの振動応答を小さくするため、荷重支持体の剛性を高める構造が、特許文献４には、クライオスタットに振動吸収用シートを介在させる構造がそれぞれ開示されている。
【０００５】
また、クエンチを検出するために、特許文献５には、クライオスタットに光学的な監視窓を設け、超電導コイルの温度上昇や常伝導転移をその色調変化や冷媒の気泡により検出する監視装置が開示されている。また、特許文献６には、クライオスタットに磁束検出用素子を取り付け、磁束の異常を電圧異常として検出する装置が開示されている。
【特許文献１】特開２００２−３３６２１６号公報
【特許文献２】特開平０８−１０７０１１号公報
【特許文献３】特開平０５−２１７７４０号公報
【特許文献４】特開平０７−３０７２１３号公報
【特許文献５】特開平０８−２９８２０７号公報
【特許文献６】特開平０５−２１１７４０号公報
【発明の開示】
【発明が解決しようとする課題】
【０００６】
また、オープン構造のクライオスタットを有する超電導磁石はその表面積が大きくなり、円筒型の超電導磁石を比較して、外部からの熱進入量が増大する。クライオクーラーを組合せたとしても、停電やメンテナンス時は液体ヘリウムの気化を避けることが出来ない。そのため、クライオスタットには気化したヘリウムガスを大気中に放出させるための排気管と、その排気方向を一方向に制限する安全弁が備えられている。安全弁は、クライオスタット内圧が設定圧以上になった場合にのみ通過可能になる構造である。
【０００７】
しかしながら、ヘリウムガス圧が設定圧に近づき排気流速が低下すると、大気圧との圧力差に比例した量の空気が僅かながら逆流する。クライオスタットに入り込んだ水蒸気や空気は排気管内で冷却され固化するため、長い運転期間中に、固化した水蒸気や空気が排気管そのものを閉塞することがある。排気管が閉塞すると、クライオスタット内圧が設定圧以上になり、氷や固体空気の膜を押し破ってヘリウムガスが異常放出される。この異常放出時にクライオスタット内圧も急変して、クライオスタットや超電導コイルに振動エネルギーとして作用することがわかった。振動エネルギーは、クエンチを引き起こす可能性があるため、ヘリウムガスの異常放出を極力防止することが望まれる。しかしながら、クライオスタットの内部の固化物の状態は、外部から見ることが出来ないため、排気管の閉塞状況を把握するのは容易ではない。
【０００８】
超電導磁石の振動を抑制する構造としては、上記特許文献２〜４の技術があるが、これらは磁気浮上電車用の磁石構造であり、要求される磁場均一度、安定磁場の継続時間、冷媒補充の容易性の状況が異なるＭＲＩ装置用超電導磁石にそのまま応用することはできない。また、クエンチの監視のために光学的な監視窓を設ける特許文献５の技術は、監視窓がクライオスタットの剛性を低下させるため、オープン構造のクライオスタットに応用することはできない。
【０００９】
本発明の目的は、オープン構造のクライオスタットの排気管の閉塞を検出し、メンテナンスを行うことを可能にするＭＲＩ装置の運転方法を提供することにある。
【課題を解決するための手段】
【００１０】
上記目的を達成するために、本発明では以下のような運転方法が提供される。すなわち、冷媒容器と、冷媒容器の内部空間に接続された排気管と、排気管のガス圧が予め定められた所定の圧力に達した場合に排気する排気弁とを含む超電導磁石を備えた磁気共鳴イメージング装置の運転方法であって、排気管のガス圧を検出する工程と、検出したガス圧と排気弁の所定の圧力とを比較し、比較結果に基づいて排気管の閉塞の有無を判定する工程とを有する。これにより、外部から見えない排気管の閉塞を検出することができる。
【００１１】
上記運転方法において、ガス圧の検出工程は、排気管のうち、その温度が水の融点よりも低く、空気の融点よりも高い位置で行い、判定工程は、検出したガス圧が、所定の圧力よりも高い場合には、ガス圧検出位置よりも排気弁に近い部分で排気管が閉塞していると判定し、検出したガス圧が、所定の圧力よりも低く、かつ、時間の経過に伴って減少している場合には、ガス圧検出位置よりも冷媒容器に近い位置で排気管が閉塞していると判定することができる。これにより、閉塞位置を判定することができる。
【００１２】
判定結果は報知する工程をさらに行うことができる。また、閉塞があると判定した場合には、判定した閉塞位置の閉塞を取り除く作業を実施することができる。
【００１３】
また、本発明によれば、以下のような磁気共鳴イメージング装置が提供される。すなわち、超電導磁石と、制御部とを備えた磁気共鳴イメージング装置であって、超電導磁石は、冷媒容器と、冷媒容器の内部空間に接続された排気管と、排気管のガス圧が予め定められた所定の圧力に達した場合に排気する排気弁と、排気管内のガス圧を検出する圧力検出部とを有する。制御部は、圧力検出部の検出したガス圧と、排気弁の所定の圧力とを比較し、比較結果に基づいて排気管の閉塞の有無を判定する。
【００１４】
上記圧力検出部は、排気管のうち、その温度が水の融点よりも低く、空気の融点よりも高い部分の圧力を検出する位置に取り付けることができる。このとき制御部は、検出したガス圧が、所定の圧力よりも高い場合には、ガス圧検出位置よりも排気弁に近い部分で排気管が閉塞していると判定し、検出したガス圧が、所定の圧力よりも低く、かつ、時間の経過に伴って減少している場合には、ガス圧検出位置よりも冷媒容器に近い位置で排気管が閉塞していると判定することができる。
【００１５】
上記制御部は、判定結果を表示装置に表示することが可能である。
また、本発明によれば、磁気共鳴イメージング装置のためのメンテナンス用プログラムが提供される。すなわち、冷媒容器と、冷媒容器の内部空間に接続された排気管と、排気管のガス圧が予め定められた所定の圧力に達した場合に排気する排気弁とを含む超電導磁石を備えた磁気共鳴イメージング装置のためのメンテナンス用プログラムである。このプログラムは、コンピュータを、排気管のガス圧データを取り込ませる手段と、ガス圧データと所定の圧力とを比較し、比較結果に基づいて前記排気管の閉塞の有無を判定する手段として機能させるプログラムである。
【００１６】
上記プログラムは、コンピュータを、検出したガス圧が、所定の圧力よりも高い場合には、ガス圧検出位置よりも排気弁に近い部分で排気管が閉塞していると判定する手段と、検出したガス圧が、所定の圧力よりも低く、かつ、時間の経過に伴って減少している場合には、ガス圧検出位置よりも冷媒容器に近い位置で排気管が閉塞していると判定する手段として機能させることができる。
【００１７】
また、本発明に依れば、遠隔監視装置が提供される。すなわち、超電導磁石を備えた磁気共鳴イメージング装置を遠隔監視する装置であって、磁気共鳴イメージング装置から、超電導磁石の冷媒容器に接続された排気管のガス圧の検出結果を受信する通信手段と、受信したガス圧を、所定の圧力とを比較し、比較結果に基づいて排気管の閉塞の有無を判定する制御手段とを有する遠隔監視装置である。
【００１８】
上記制御手段は、受信したガス圧が、所定の圧力よりも高い場合には、排気管のガス圧検出位置よりも排気弁に近い部分で排気管が閉塞していると判定し、検出したガス圧が、所定の圧力よりも低く、かつ、時間の経過に伴って減少している場合には、ガス圧検出位置よりも冷媒容器に近い位置で排気管が閉塞していると判定することができる。
【００１９】
上記制御部は、判定結果を表示装置に表示することができる。また、制御部は、通信手段から、判定結果を前記磁気共鳴イメージング装置に送信することもできる。
【００２０】
また、本発明によれば、メンテナンス方法が提供される。すなわち、超電導磁石を備えた磁気共鳴イメージング装置をメンテナンスする方法であって、磁気共鳴イメージング装置から、超電導磁石の冷媒容器に接続された排気管のガス圧の検出結果を受信する工程と、受信したガス圧を、所定の圧力とを比較し、比較結果に基づいて前記排気管の閉塞の有無を判定する工程とを有するメンテナンス方法である。
【００２１】
判定工程は、受信したガス圧が、所定の圧力よりも高い場合には、排気管のガス圧検出位置よりも排気弁に近い部分で排気管が閉塞していると判定し、検出したガス圧が、所定の圧力よりも低く、かつ、時間の経過に伴って減少している場合には、ガス圧検出位置よりも冷媒容器に近い位置で排気管が閉塞していると判定することができる。
【００２２】
判定結果を報知する工程をさらに行うことが可能である。また、判定結果が閉塞ありの場合には、回復処理のための作業員を磁気共鳴イメージング装置の設置場所に派遣するよう指示する工程をさらに行うことができる。
【発明の効果】
【００２３】
本発明によれば、超電導磁石の閉塞を早期に検出することができ、速やかな処置を講じて超電導磁石を正常な状態に復旧させることが可能である。これにより、振動エネルギーとして作用するクライオスタットの圧力異常を防ぎ、クエンチを防止して、安定な磁場を発生する運転管理ができる。これにより、優れた病巣検出能を有するＭＲＩ画像を得ることが可能となった。
【発明を実施するための最良の形態】
【００２４】
以下、本発明の実施形態を添付図面に基づいて説明する。なお、発明の実施形態を説明するための全図において、同一機能を有するものは同一符号を付け、その繰り返しの説明は省略する。
【００２５】
（第一の実施形態）
本発明の第一の実施形態の超電導オープンＭＲＩ装置の運転方法について、図１から図４を用いて説明する。本実施形態の運転方法は、超電導磁石の冷媒の気化ガス圧が一定の圧力範囲になるように取り付けた安全弁の設定圧力と、ヘリウム容器の圧力センサーが示す実際の圧力とを比較することにより、超電導磁石が正常に運転しているか異常な状態になっているかどうか、および、その異常箇所を判別する。もし異常な状態と判断された場合は、速やかにその異常状態を取り除く復旧作業を実施する。
【００２６】
最初に、本実施形態のオープン超電導ＭＲＩ装置の全体構成と動作の概要を図１に基づいて説明する。
図１は、本実施形態のＭＲＩ装置の全体構成を示す図である。このオープン超電導ＭＲＩ装置は、静磁場を発生する開放構造の超電導磁石１０１を備えている。超電導磁石１０１は、上クライオスタット１０３と下クライオスタット１０４とを有し、これらは被検者１０２が配置される撮影空間を挟んで配置されている。このため、撮影空間の前後左右は大きく開放された空間となっており、被検体１０２に与える圧迫感を低減することができる。
【００２７】
上クライオスタット１０３と下クライオスタット１０４は、支柱を兼ねた連結管１０５で接続されている。連結管１０５を介して、上下クライオスタット１０３、１０４内部の液体ヘリウムを満たされる空間が連結されている。上クライオスタット１０３に備えられた後述のサービスポート（排気供給管）１０８から液体ヘリウムを供給することにより、上下クライオスタット１０３，１０４に液体へリムを満たすことができる。
【００２８】
上クライオスタット１０３には、気化したヘリウムガスを再凝縮するクライオクーラー１０６が取付けられている。クライオクーラー１０６は、圧縮されたヘリウムガスを送る圧縮機ユニット１０７と接続されている。このように連結管１０５とクライオクーラー１０６を配することで、クライオスタットが複数（２つ）に分割された構造の超電導磁石１０１であっても、一個のクライオスタットの超電導磁石と同じように、気化したヘリウムガスを再凝縮して再利用する密閉型のクライオスタットを構成することができる。
【００２９】
上クライオスタット１０３の上部には、サービスポート１０８が取付けられている。サービスポート１０８は、液体ヘリウムの注入口、および、クライオクーラー１０６の故障などで凝縮できなくなったヘリウムガスを外部に放出する排気口等を有する。サービスポート１０８には、後述する超電導磁石の運転状態をモニターする圧力センサー２１６が組み込まれている。圧力センサー２１６には、クライオ制御ユニット１１０が接続されている。
【００３０】
また、本実施の形態のＭＲＩ装置は、被検者１０２を撮影空間まで移動するための患者テーブル１１１を備えている。
【００３１】
超電導磁石１０１の上下クライオスタット１０３，１０４の撮像空間側の面には、撮像空間の磁場均一度を補正するシムプレート１１２がそれぞれ取り付けられている。これにより撮影空間において、磁場強度０．７テスラ、磁場均一度３ｐｐｍの安定な静磁場を生じさせることができる。
【００３２】
シムプレート１１２の撮像空間側には、勾配磁場を発生する傾斜磁場コイル１１３がそれぞれ配置されている。この傾斜磁場コイル１１３は、超電導磁石１０１の開放的な構造を妨げることがないように平板構造のコイルが用いられている。傾斜磁場コイル１１３はそれぞれ、上下一対のコイルによって、互いに直交する３軸方向に磁場勾配を生じさせるｘ、ｙ、ｚの３つコイル（図では区別されない）を積層した構造である。例えば、上ｚコイルと下ｚコイルに電流が印加されると、上ｚコイルは超電導磁石１０１の発生する磁束と同じ向きの磁束を発生し、下ｚコイルはそれとは１８０度向きの異なる磁束を発生する。この結果、被検者１０２の配設される撮影空間の垂直軸（ｚ軸）の上から下に向けて磁束密度が徐々に少なくなる勾配磁場が作られる。同様に、ｘコイルおよびｙコイルは、超電導磁石１０１の発生する磁束の磁束密度にそれぞれｘ軸、ｙ軸に沿った勾配を付与する。傾斜磁場コイル１１３のｘコイル、ｙコイル、ｚコイルには、それぞれ独立して所望の時間だけ電流を流すために傾斜磁場パワーアンプ１１４が接続されている。
【００３３】
傾斜磁場コイル１１３の撮像空間側にはそれぞれ高周波コイル１１５が配置されている。この高周波コイル１１５は、超電導磁石１０１の開放的な構造を妨げることがないように平板構造のコイルが採用されている。上下一対のコイル１１５には高周波パワーアンプ１１６が接続され、核スピンの共鳴周波数に対応した高周波電流が供給される。これにより、高周波コイル１１５は、被検体１０２の配設される撮影空間に核スピンを共鳴励起するのに必要な高周波磁界を発生する。本実施形態の場合では、例えば、０．７テスラの磁場強度で水素原子核が核磁気共鳴を起こす２９．８メガヘルツの高周波磁場を発生する。前述の傾斜磁場と、この高周波磁場を組み合わせることにより、被検者１０２の特定部位の水素原子核スピンを選択的に共鳴励起し、三次元的な位置情報を付与することができる。
【００３４】
高周波コイル１１５の撮像空間側、すなわち被検者１０２の検査部位の近傍には、ＮＭＲ信号を検出する検出コイル１１７が配置されている。この検出コイル１１７は前述の核スピンの共鳴運動により被検者１０２から生じる核磁気共鳴（ＮＭＲ）信号を電気信号として検出する。
【００３５】
検出コイル１１７には、高周波増幅回路１１８が接続されている。電気信号に変換されたＮＭＲ信号は高周波増幅回路１１８によって、増幅された後、コンピュータ処理に適したデジタル信号に変換処理される。
【００３６】
上述の圧縮機ユニット１０７、クライオ制御ユニット１１０、傾斜磁場パワーアンプ１１４、高周波パワーアンプ１１６、高周波増幅回路１１８は、システム信号バスライン１２０によって、コンピュータ１１９に接続されている。このコンピュータ１１９は、内蔵するメモリー１２３に予め格納されたプログラムを読み込んで実行することによりパルスシーケンサーとして動作する。コンピュータ１１９は、パルスシーケンサーとして制御信号を出力し、これをシステム信号バスライン１２０を介して各ユニットに受け渡すことにより、各ユニットの動作を制御し、所望の撮像パルスシーケンスを実行させる。
【００３７】
一方で、コンピュータ１１９は、デジタル信号に変換されたＮＭＲ信号を診断に供するための画像等に変換処理してコンピュータ１１９内のメモリー１２３に保存し、ディスプレイ１２１に表示する。更に、コンピュータ１１９は、システム信号バスライン１２０を介して各ユニットの動作状態を常時あるいは一定の間隔をおいて監視し、その状態の記録を掌る。
【００３８】
また、コンピュータ１１９には、モデムやＬＡＮなどの通信制御装置１２２が接続され、通信制御装置１２２を経由して、遠隔地等の外部のコンピュータと通信を行う。この通信により、外部のコンピュータに、ＭＲＩ装置の動作管理情報等を受け渡す。これにより、遠隔地等のコンピュータから、ＭＲＩ装置の遠隔監視をすることが可能である。本発明では、クライオ制御ユニット１１０を介して超電導磁石１０１の運転状態をモニターするために、圧力センサー２１６の圧力値をディスプレイ１２１に表示し、かつ通信制御装置１２２を介して、他のコンピュータに出力することで装置の近傍や遠隔で超電導磁石１０１の状態をモニターすることができる。
【００３９】
つぎに、図２を用いて、超電導磁石１０１の構造とサービスポート１０８の構造についてさらに詳しく説明する。
超電導磁石１０１の上下クライオスタット１０３、１０４には、磁場を発生する上超電導コイル２０１と下超電導コイル２０２がそれぞれ収められている。上下超電導コイル２０１、２０２は、撮像空間２０３に静磁場を発生する。
図２では、それぞれ１個の超電導コイル２０１、２０２が収容された構成を示したが、磁場強度や磁場均一度の向上と漏洩磁場の強度を下げるために、複数の超電導コイルを組合せてそれぞれ収めることも可能である。また、上下クライオスタット１０３，１０４の撮影空間２０３に面する側にはそれぞれ、シムプレート１１２が配置されている。このシムプレート１１２内には複数のシムコイル（図では示してない）が組み込まれ、これらシムコイルに電流を流すことで、必要な補正磁場を発生する。さらに、シムプレート１１２内に複数の小鉄片（図では示してない）を組み込むことで上下超電導コイル２０１，２０２が発生する磁束分布を補正することも可能である。
【００４０】
上下超電導コイル２０１，２０２が発生する静磁場、および、シムプレート１１２が発生する補正磁場により、撮像空間２０３として、磁場強度０．７テスラ、磁場均一度３ｐｐｍを達成する直径４０センチメートルの静磁場空間が形成される。
【００４１】
上下クライオスタット１０３、１０４は、内側から順に上下ヘリウム容器２０４，２０５、熱遮蔽板２０６、スパーインシュレーター２０７、真空容器２０８の４層構造である。上下超電導コイル２０１、２０２は、液体ヘリウムを蓄える上下ヘリウム容器２０４，２０５の中にそれぞれ配置されている。上ヘリウム容器２０４と下ヘリウム容器２０５に同時に液体ヘリウムが充たされるように、連結管１０５によって連結されている。また、連結管１０５には上下超電導コイルを接続する超電導リード線やセンサー回路が配置（図２では示してない）されている。
【００４２】
上下ヘリウム容器の外周に配置される熱遮蔽板２０６は、熱伝導の良好な銅板やアルミニューム板で、その厚さは例えば２ミリメートル程度である。スパーインシュレーター２０７は、アルミ蒸着で鏡面に仕上げたポリエチレンフィルム等であり、熱遮蔽板２０６の外側に隙間なく貼り付けられている（図２では一部のみ記載している）。スパーインシュレーター２０７は、上下ヘリウム容器への輻射熱侵入を防いでいる。スパーインシュレーター２０７の外側に配置される真空容器２０８は、１５ミリメートル厚のステンレススチール製である。真空容器２０８と上下ヘリウム容器２０４、２０５との間隙、ならびに真空容器２０８と連結管１０５との間隙は、いずれも真空層になっており、熱遮蔽板２０６を含め、これらの容器は熱伝導率の低いガラス繊維強化プラスチック（ＦＲＰ）で作られた複数の荷重支持体（図には記載してない）によって相互に固定されている。
【００４３】
上ヘリウム容器２０４の上部中央には、クライオクーラー挿入孔が設けられ、クライオクーラー１０６が挿入されている。本実施形態のクライオクーラー１０６は２段の冷却ステージ２０９、２１０を有しており、一段目の冷却ステージ２０９は５０度ケルビン温度、二段目の冷却ステージ２１０は３．７度ケルビン温度まで冷却する能力を有している。一段目の冷却ステージ２０９は熱遮蔽板２０６に熱接触するようになっている。この熱接触の接触面間には、熱伝導の良好な材料、例えば、インジューム線２１１が噛合せられ、これにより良好な熱伝導を達成している。この熱接触で、室温（約３００度ケルビン）の真空容器２０８とヘリウム容器２０４の中間に５０度ケルビン温度の熱遮蔽板２０６が存在することになり、ヘリウム容器への輻射熱を下げている。二段目の冷却ステージ２１０は、クライオクーラー挿入孔２０８から直接上ヘリウム容器２０４内に挿入され、気化したヘリウムガスを再凝縮する。なお、ここではヘリウムガスに二段目の冷却ステージ２１０が直接接触する直接冷却法を用いているが、熱伝導の良好なインジューム材等を介して上ヘリウム容器２０４の一部を、ヘリウムガスが液化する４．２度ケルビン温度以下に冷却する間接冷却法を用いることも可能である。
【００４４】
次に、サービスポートの構造について図３を用いて説明する。上ヘリウム容器２０４の上部には、液体ヘリウムの注入と、上下ヘリウム容器２０４、２０５で気化したヘリウムガスの外部放出をするための機能を備えたサービスポート１０８が取り付けられている。サービスポート１０８は、液体ヘリウム温度に近い低温で熱伝導率の低いステンレススチールで構成され、かつ上ヘリウム容器２０４への熱進入を少なくするため、一部は真空で封じられた二重パイプ構造（図３では示してない）を用いている。サービスポート１０８には、上部から液体ヘリウム注入パイプ２１２が挿入され、側面には緊急排気パイプ２２２が接続されている。サービスポート１０８と液体ヘリウム注入パイプ２１２との接続部は、Ｏリング３０１とねじ３０４によって気密が保たれている。
【００４５】
液体ヘリウム注入パイプ２１２には、開閉する手動バルブ２１３が取り付けられ、手動バルブ２１３よりもサービスポート１０８寄りの位置で、液体ヘリウム放出パイプ２２１が分岐している。放出パイプ２２１には、一方向安全弁２１４が備えられている。液体ヘリウム注入パイプ２１２の先端部は、サービスポート１０８の基部の熱遮蔽板２０６の位置に達している。液体ヘリウム注入パイプ２１２の先端部には、ガラスウール等からなる複数のバッフル板３０３が取り付けられている。複数のバッフル板３０３は、注入パイプ２１２の外周のサービスポート１０８内の空間を複数の空間に区切ることにより、内部のガスが対流により移動する距離を小さく制限している。バッフル板３０３は、サービスポート１０８上部からの輻射熱進入を極力抑える作用をする。
【００４６】
手動バルブ２１３は、液体ヘリウム注入パイプ２１２から上ヘリウム容器２０４に液体ヘリウムを注入する際に開状態にされる。放出パイプ２２１は、手動バルブ２１３よりも上ヘリウム容器２０４側で注入パイプ２１２から分岐しており、上ヘリウム容器２０４の内部において、液体ヘリウムが気化することにより生じたヘリウムガスを外部に放出する。一方向性安全弁２１４は、内圧が大気圧に対して所定の圧力、ここでは１ｐｓｉ以上になった場合に開き、内部から外部へヘリウムガスを放出する。また、外部から内部へと放出パイプ２２１内を外気が逆流するのを防止する。よって、クライオクーラー１０６の冷却能力低下やクライオクーラー１０６が停電で停止した場合等により、気化したヘリウムガスで上ヘリウム容器２０４内の圧力が大気圧に対し１ｐｓｉ以上になった時には、一方向性安全弁２１４より外部に放出される。手動バルブ２１３や一方向性安全弁２１４とパイプ２１２，２２１との接続部は、シールテープ等によって気密が保たれている。
【００４７】
緊急排気パイプ２２２には、ラプチャーディスク２１５が備えられている。ラプチャーディスク２１５は、６ｐｓｉで破れるように設計されている。よって、クエンチ時等、大量のヘリウムガスが発生した場合は、ラプチャーディスク２１５が破れて緊急排気がなされる。
【００４８】
本実施の形態では、超電導磁石１０１が正常に運転しているか異常な状態になっているかどうか、および、その異常箇所を判別するために、緊急排気パイプ２２２に圧力センサー２１６を取り付けている。圧力センサー２１６の取り付け位置は、サービスポートの温度分布に基づいて定められている。サービスポート１０８の温度分布は、図３に示したように、手動バルブ２１３、一方向性安全弁２１４およびラプチャーディスク２１５付近は室温（約３００度ケルビン）、サービスポート１０８の上部で２７３度ケルビン（＝０℃）であり、サービスポート１０８下部のバッフル板３０３の中段付近で１００度ケルビン、注入パイプ２１２の先端付近で５０度ケルビン、上ヘリウム容器２０４の接続部は液体ヘリウム温度すなわち４．２度ケルビンである。
【００４９】
圧力センサー２１６は、空気が固化する約１００度ケルビン（酸素の融点−２１８℃、窒素の融点−２１０℃）と、水蒸気が固化する２７３度ケルビン（水の融点０℃）の中間の温度を取る中間部位２１７に取り付けられている。ここでは、バッフル板３０３の１００度ケルビンと、サービスポート上部の２７３度ケルビンとの間の温度となる緊急排気パイプ２２２の位置２１７に、圧力センサー２１６を配置している。
【００５０】
なお、圧力センサー２１６には、表示部２１８（連成計）を組み合わせて配置し、ユーザーがその場で簡便に圧力値が目視でモニターできるように構成した。また、圧力センサー２１６の出力信号は、クライオ制御ユニット１１０内アンプ回路で適切な値の電気信号に増幅変換され、バスライン１２０を介して、コンピュータ１１９に取り込まれ、ディスプレイ１２１に表示される。ユーザーは、連成計２１８の表示値やコンピュータ１１９に読み込まれた圧力値と、一方向性バルブ２１３の設定圧力（１ｐｓｉ）とを比較するとともに、その圧力値の変化状態を判断することにより、正常に超電導磁石１０１が運転しているのか閉塞が生じているか、閉塞が生じている場合はその位置を判断できる。
【００５１】
以下、超電導磁石１０１の状態を判断する方法について具体的に説明する。
ヘリウム容器２０４内の圧力は、通常運転時は、大気圧に対し僅かに高い圧力に保たれるように、クライオクーラー１０６の冷却能力と、一方向性安全弁２１３の設定圧力が設定されている。具体的には、一方向性安全弁２１３は、ヘリウム容器２０４内の圧力が、大気圧に対して１ｐｓｉ以上の高くなった場合には、弁を開き排気する構造である。
【００５２】
しかしながら、一方向性安全弁２１４が弁を開き、ヘリウムガスを排気していく過程において、上ヘリウム容器２０４内の圧力が大気圧に近づき、弁が閉じる間際には、ヘリウムガスの流速（約毎秒２センチメートル以下）が下がるため、一方向性安全弁２１３が完全に閉じるまでの僅かな時間に、上ヘリウム容器２０４内の圧力と大気圧との圧力差に比例した僅かな大気が一方向性安全弁２１３を逆流することは避けられない。
【００５３】
また、サービスポート１０８やバルブのつなぎ目はＯリング３０１やシールテープによって気密を保つ構造なので、ヘリウム容器内の圧力が大気圧よりも低くなった場合、ここからも極僅かではあるが気体が侵入することは避けられない。
【００５４】
一方向性安全弁２１４を逆流した大気の空気成分（窒素と酸素）、および、Ｏリング３０１や手動バルブ２１２や一方向性安全弁２１３の接続部から侵入した空気（窒素と酸素）は、ヘリウムガスより重いので、サービスポート１０８の下部に侵入する。サービスポート１０８は、図３に示した温度分布であるため、侵入した空気は、酸素の沸点−１８３℃および窒素の沸点−１９５℃の温度であるバッフル板３０３（約１００度ケルビン温度）付近で液体に凝縮される。液体空気は、サービスポート１０８の壁面を伝ってさらに深部に入り込み、酸素の融点−２１８℃、窒素の融点−２１０℃である注入パイプ２１２の先端付近（約５０度ケルビン温度）で霜状に固化し、固体物３０２となる。長い間の空気の侵入により固化物３０２は成長を続け、サービスポート１０８の底部を閉塞する。空気の固化物３０２による閉塞は、バッフル板３０３によって促進される。
【００５５】
また、侵入した空気は、液体や固体に変化すると、その体積が約７００分の１に縮小する。冷却により空気を液化や固化させる速度は、同じ容積の空気が侵入する速度より速いので、ひとたびサービスポート１０８の下部が固化物３０２によって閉塞すると、サービスポート１０８の上部空間の圧力は低下傾向を示す。よって、圧力センサー２１６の示す圧力は、１ｐｓｉよりも小さくなり、かつ、継続して低下するという挙動を示す。正常時も１ｐｓｉよりも小さい値を示すが、圧力値の継続低下という挙動は示さないため、圧力値の継続低下によって閉塞が判別できる。
【００５６】
一方、一方向性安全弁２１４を逆流した大気に含まれる水蒸気は、注入パイプ２１２内をヘリウム容器２０４に向かって移動し、サービスポート１０８の上部の２７３度ケルビン（０℃）の温度分布の部分で、水の融点（０℃）に冷やされ、図４のように注入パイプ２１２内の壁面に霜状に付着する。一方向性安全弁２１４において大気の逆流が生じるたびに、大気に含まれる水蒸気が霜となって付着するため、霜は成長して氷塊４０１となって注入パイプ２１２を閉塞する。
【００５７】
注入パイプ２１２が閉塞すると、一方向性安全弁２１４と上ヘリウム容器２０４とが隔絶される。クライオクーラー１０６の冷却能力は、上ヘリウム容器内の圧力を大気圧よりも僅かに高く保つように設定され、通常時は、一方向性安全弁２１４で１ｐｓｉに達したならば排気することにより、上ヘリウム容器２０４の圧力は大気圧以上１ｐｓｉ以下に維持されている。しかし、注入パイプ２１２が閉塞すると、一方向性安全弁２１４による排気ができなくなるため、上ヘリウム容器２０４内の圧力は上昇し、１ｐｓｉ以上になる。よって、圧力センサー２１６は、１ｐｓｉ以上の圧力を示す。
【００５８】
このように、圧力センサー２１６の圧力値は、空気の固体物３０２によるサービスポート１０８の閉塞（図３）の場合には、１ｐｓｉよりも低く、かつ、継続低下の傾向を示し、水蒸気が固化した氷塊４０１によるヘリウム注入パイプ２１２の閉塞（図４）の場合には、１ｐｓｉ以上の値を示す。よって、圧力センサー２１６の値をモニターすることにより、異常（閉塞）の有無、および、閉塞位置（ヘリウム注入パイプ２１２か、サービスポート１０８の下部か）を判別することができる。
【００５９】
ユーザーは、圧力センサー２１６の表示部２１８（連成計）を視認することにより、その場で簡便に圧力値がモニターでき、１ｐｓｉよりも低く、かつ、継続低下の傾向を示しているときには、空気固化物３０２によるサービスポート１０８の下部の閉塞と判断でき、１ｐｓｉ以上のときには、氷塊４０１によるヘリウム注入パイプ２１２の閉塞と判断できる。また、圧力センサー２１６の出力は、クライオ制御ユニット１１０で増幅され、コンピュータ１１９に取り込まれ、記録およびディスプレイ１２１に表示されるので、ディスプレイ１２１に圧力値の変化を示すグラフを表示させ、これを見て判断することもできる。
【００６０】
このように、本実施の形態では、ユーザーは連成計２１８の表示値やコンピュータ１１９に読み込まれた圧力値が、一方向性バルブ２１３の設定圧力（１ｐｓｉ）と比較し、その圧力値の変化状態を判断することにより、正常に超電導磁石１０１が運転している状態なのか、異常である場合はその閉塞位置を判断できる。
【００６１】
なお、圧力値が１ｐｓｉ以上のときには、氷塊４０１によるヘリウム注入パイプ２１２の閉塞と判断できるが、それを確認するために、クライオクーラー１０６を一時的に停止、あるいはその冷却能力を低下させる動作を行うことも可能である。これにより、ヘリウムガスの再凝縮サイクルを中断あるいは低下し、上クライオ容器２０４の内圧がさらに上昇する。これにより一方向性安全弁が動作して１ｐｓｉ以上にならなければ、ヘリウム注入パイプ２１２は閉塞していない、もしくは、閉塞が解消したことを確認できる。
【００６２】
上述のように、圧力センサー２１６の値により、閉塞があること、および、閉塞位置が判断された場合、閉塞状態を放置すると、クライオ容器２０４の圧力が上昇する。氷塊４０１による注入パイプ２１２の閉塞の場合には、ラプチャーディスク２１５の設定圧（６ｐｓｉ）でラプチャーディスク２１５が破れてヘリウムガスが噴出する。空気固化物３０２による閉塞の場合は、６ｐｓｉ以上の圧力で閉塞を突き破り、ラプチャーディスク２１５を破ってヘリウムガスが噴出する。このため、クライオ容器１０３，１０４が圧力急変に伴って振動を発生し、振動に伴い超電導コイルに熱的擾乱が発生し、その結果としてクエンチに至ることが懸念される。
【００６３】
そこで、閉塞があること、および、閉塞位置が判断された場合、できるだけ速やかに、サービスポート１０８の閉塞状態の回復作業を実施する。空気固化物３０２の除去方法を図５（ａ）を用いて簡単に説明する。まず、ヘリウム注入パイプ２１２を固定しているボルト３０４（図３）を取り外し、ヘリウム注入パイプ２１２の代わりに、中心に約２０ミリメートル穴を開けた透明なアクリル板５０１を取り付ける。アクリル板５０１の穴を通して５ミリメートル径の銅管５０２を挿入して、銅管５０２に接続したフレキシブルホース５０３をヘリウムガスボンベ（図には記載してない）に接続し、室温のヘリウムガスを銅管５０２の先端から空気の固体塊に向けて放出する。これにより、溶融・気化した空気をヘリウムガスと共にアクリル板５０１の穴から外部に噴出させる。
【００６４】
この作業は、アクリル板５０１の上部よりフラッシュライト５０４でサービスポート１０８を照らしながら行う。ヘリウムガスの流量は、制御弁５０５で逐次調整し、空気の固化３０２の状態を確認しながら進める。作業の初期には空気の固化３０２に効率的に室温のヘリウムガスが噴出されるように、銅管５０２の先端は斜め下方を向いているものを使用するが、空気の固化塊の溶解が進み、中心付近が溶解した場合は、先端がＵ字型の銅管５０６に変更して、室温（約３００度ケルビン）のヘリウムガスが上部クライオ容器２０４内に噴出されることを防ぐ。さらに、図５（ｂ）に示したＵ字型の銅管５０６を用いることにより、サービスポート１０８の壁面に付着した固体空気が溶融し、あるいは気化してサービスポート１０８のさらに下部に落下しないよう、上向きのヘリウムガス流を作ることができる。このように室温のヘリウムガスで固体空気の排出を実施する。
【００６５】
一方、氷塊４０１によるヘリウム注入パイプ２１２の閉塞の場合は、ヘリウム注入パイプ２１２を取外して、溶解させる。完全に乾燥させる必要があることから、ドライヤーやヒートガンにより温風をパイプ２１２内に送り込む。その後、ヘリウム注入パイプ２１２内をヘリウムガスで置換して、サービスポート１０８に取り付ける。
【００６６】
（第二の実施形態）
本発明の第二の実施形態は、超電導オープンＭＲＩ装置自体が、超電導磁石１０１の異常の有無および閉塞位置の判断を自動的に行い、その結果をユーザーに報知する。
【００６７】
ＭＲＩ装置の構成は、図１に示した第一の実施の形態と同様であるので説明を省略する。本実施の形態では、コンピュータ１１９の内蔵メモリー１２３には、異常の自動判定のためのプログラムが予め格納されており、コンピュータ１１９内のＣＰＵがこれを読み込んで実行することにより、図６のフローチャートに示したように動作し、異常の自動判定を行う。すなわち、コンピュータ１１９は、上ヘリウム容器２０４の圧力を一定タイミングで取り込んで、コンピュータ１１９のメモリー１２３に記録し、その値の経時的変化を解析して超電導磁石１０１の運転状態を把握し、異常状態を自動的に判定する。
【００６８】
以下、図６のフローに基づいて、異常の判定の動作を詳細に説明する。コンピュータ１１９は、ＭＲＩ装置の電源投入の時、図６のフローのプログラムをスタート（ステップ６０１）させる。
【００６９】
まず、コンピュータ１１９は、圧力センサー２１６の出力データを取り込む間隔を定めるタイマーをセットする（ステップ６０２）。本実施形態のプログラムでは、サービスポート１０８の閉塞の進行速度とその緊急度合いより例えば６時間毎に取り込むように設定されている。タイマーの時間に合わせて逐次圧力センサー２１６の出力データを取り込み、これを記録する（ステップ６０３）。しかし、他のユニットの動作との干渉を避けるため、ＭＲＩ撮像中は、圧力データの取り込みに待ち処理が盛り込まれ、撮像と圧力データの取り込みをタイムシェアーして、圧力計測を実行する。圧力データはコンピュータ１１９内のメモリー１２３に記録する。
【００７０】
コンピュータ１１９は、記録した圧力データの経時的変化を把握するため、グラフを作成する処理を行う（ステップ６０４）。圧力値と、グラフの経時的変化（所定の日数（例えば３日間）でグラフの傾き）の度合いより、超電導磁石の運転状況（異常の有無）を判定する（ステップ６０５）。
【００７１】
ステップ６０５において、現在の圧力値が一方向性安全弁２１４の設定圧（１ｐｓｉ）より低く、かつ、３日間でグラフの傾きが負（圧力値が減少）の傾向を示している場合（ステップ６０６）、図３に示したようにサービスポート１０８の下部で空気固化物３０２が閉塞の状態にあると判定し、それを警告する内容をディスプレイ１２１に表示する（ステップ６０７）。続けて、図５を用いて説明した回復処理作業を実施するようユーザーに促す表示をディスプレイ１２１に表示する。再び６０２のタイマー処理に戻る。
【００７２】
ステップ６０５において、現在の圧力値が、一方向性安全弁の２１４の設定圧（１ｐｓｉ）を超えている場合（ステップ６０９）、図４に示したように、注入パイプ２１２が氷塊４０１により閉塞の状態にあると判定し、それを警告する内容をディスプレイ１２１に表示する（ステップ６１０）。続けて、氷塊４０１を除去する回復処理作業を実施するようユーザーに促す表示をディスプレイ１２１に表示する（ステップ６１１）。再びステップ６０２のタイマー処理に戻る。
【００７３】
ステップ６０５において、正常の状態、すなわち、現在の圧力値が１ｐｓｉ以下であり、３日間におけるグラフの傾きが負ではない（正または維持されている）場合（ステップ６１２）、閉塞は生じていないと判断される。そこで、閉塞以外の異常（クライオクーラー１０６の異常）があるかどうかをステップ６１３以下で判定する。３日間におけるグラフの傾きが正である場合（ステップ６１３）、圧力値が増加傾向していることを意味し、クライオクーラー１０６によるヘリウムガスの再凝縮より液体ヘリウムの気化の量の方が多いことがわかる。この場合、クライオクーラー１０６の冷却能力が低下していると考えられるため、これを警告する内容をディスプレイ１２１に表示する（ステップ６１４）。続けて、クライオクーラー１０６のメンテナンスを行うようにユーザーに促す表示をディスプレイ１２１に表示する。その後、ステップ６０２のタイマー処理に戻る。
【００７４】
また、ステップ６１３において、現在の圧力値が１ｐｓｉ以下であり、グラフの傾きが予め定めた値より小さく、維持されている場合、安定に推移していると判断されるため、クライオクーラー１０６の冷却能力が正常であると判断できる。よって、圧力計測を行うためステップ６０２のタイマー処理に戻る。
【００７５】
このように第二の実施形態によれば、超電導磁石１０１の異常の有無および閉塞位置の判断を自動的に行って、その結果をユーザーに報知することができる。また、異常の判断内容として、サービスポート１０８の閉塞のみならず、クライオクーラー１０６の冷却能力の低下を検出することができる。
【００７６】
（第三の実施形態）
第三の実施形態は、図７のように、超電導オープンＭＲＩ装置の超電導磁石１０１の異常の有無を、通信制御装置１２２を介して接続された遠隔監視装置７００においてモニターする。
【００７７】
遠隔監視装置７００は、通信制御装置７０１とコンピュータ７０２とディスプレイ７０３を含む。通信制御装置７０１は、通信回線を介して、ＭＲＩ装置の通信制御装置１２２と接続されている。コンピュータ７０２は、内蔵するメモリー７０４に第二の実施形態で説明した図６のフローの動作を実現するためのプログラムが格納されている。
【００７８】
ＭＲＩ装置のコンピュータ１１９は、圧力センサー２１６の出力データを通信制御装置１２２によって遠隔監視装置７００に送信する。遠隔監視装置７００のコンピュータ７０２は、このデータを通信制御装置７０１を介して受信し、内蔵するメモリー７０４に記録する。
【００７９】
コンピュータ７０２は、メモリー内のプログラムを読み込んで実行することにより、図６のフローの動作を実行し、閉塞有り、またはクライオクーラーの能力低下有りと判定した場合には、それを知らせる警報表示をディスプレイ７０３に行うとともに、回復作業を行うためにサービスマンをＭＲＩ装置の設置場所に派遣するよう促す表示をディスプレイ７０３に行う（ステップ６０７，６０８、ステップ６１０，６１１、ステップ６１４、６１５）。また、これらのステップおいて、コンピュータ７０２は、通信制御装置７０１、１２２を介して、コンピュータ１１９に警報を報告し、回復作業を行うサービスマンを派遣することを報告する。
【００８０】
このように、第三の実施形態では、ＭＲＩ装置を遠隔監視して、超電導磁石１０１の異常の有無を判定し、回復作業を行うサービスマンを手配することができる。
【図面の簡単な説明】
【００８１】
【図１】第一の実施の形態のオープンＭＲＩ装置の全体構成を示すブロック図。
【図２】図１のＭＲＩ装置を構成する超電導磁石の断面の概略構成を示す説明図。
【図３】図２に示すサービスポートの閉塞状態を示す断面図。
【図４】図２に示すサービスポートの他の閉塞状態を示す断面図。
【図５】（ａ）図２に示したサービスポートの閉塞状態を復旧する作業の説明図、（ｂ）復旧作業に用いるＵ字形の銅管を示す説明図。
【図６】第二の実施形態のコンピュータ１１９が実施するクライオスタットの圧力データ取得処理と、異常の有無の判断処理のフローを表すフローチャート。
【図７】第三の実施の形態のＭＲＩ装置の異常の有無判断を遠隔監視装置７００で行う構成を示すブロック図。
【符号の説明】
【００８２】
１０１…超電導磁石、１０６…クライオクーラー、１０８…サービスポート、１１０…クライオ制御ユニット、１１９…コンピュータ、１２１…ディスプレイ、２０４…上ヘリウム容器、２０５…下ヘリウム容器、２１２…ヘリウム注入パイプ、２１３…手動バルブ、２１４…一方向性安全弁、２１５…ラプチャーディスク、２１６…圧力センサー、２２１…ヘリウム放出パイプ、２２２…緊急排気パイプ、３０３…バッフル板。
【図１】
2008154677.tif 000003
【図２】
2008154677.tif 000004
【図３】
2008154677.tif 000005
【図４】
2008154677.tif 000006
【図５】
2008154677.tif 000007
【図６】
2008154677.tif 000008
【図７】
2008154677.tif 000009